(57)【要約】  本開示は、各々が複数のビームを有する少なくとも２つの適切なセルを有するシステムにおいてセル（再）選択を実行する移動端末に関する。この端末は、通常移動性状態又は高移動性状態にある。この端末は、適切なセルの各適切なセルのこれらのビームの信号品質を測定し、これらのビームのそれぞれの測定された信号品質に基づいて、セル品質を決定し、決定されたセル品質を用いて、セル（再）選択基準に基づいて、セルを（再）選択する。セル品質は、適切なセルの各適切なセルについて、最良信号品質を有するビームの測定された信号品質と、他のビームについての組み合わせビーム品質値と、の合計値として決定される。組み合わせビーム品質値は、組み合わせビーム品質値が、高移動性状態においてスケールアップされ、通常移動性状態においてスケールダウンされるように、移動性状態に応じて変化するスケーリング係数によって、スケーリングされる。
2021510965.tif 000002
【特許請求の範囲】
【請求項１】
動作中、少なくとも２つのセルの各セルの複数のビームの信号品質を測定する送受信機と、
動作中、少なくとも通常移動性状態又は高移動性状態の１つに構成され、
前記複数のビームのそれぞれの測定された前記信号品質に基づいて、前記少なくとも２つのセルの各セルについてのセル品質を決定し、
決定された前記セル品質を用いて、セル（再）選択基準に基づいて、前記少なくとも２つのセルから、キャンプするためのセルを（再）選択する
回路と、
を備えており、
前記セル品質は、前記少なくとも２つのセルの各セルについて、最良信号品質を有するビームの測定された前記信号品質と、前記複数のビームのうちの他のビームについての組み合わせビーム品質値と、の合計値として決定され、
前記組み合わせビーム品質値は、前記組み合わせビーム品質値が、前記高移動性状態においてスケールアップされ、前記通常移動性状態においてスケールダウンされるように、移動性状態に応じて変化するスケーリング係数によって、スケーリングされる、
移動端末。
【請求項２】
前記通常移動性状態において、前記組み合わせビーム品質値は、ゼロの値を取るようにスケールダウンされる、且つ／又は、
前記高移動性状態において、前記組み合わせビーム品質値は、前記最良信号品質を有する前記ビームの測定された前記信号品質と同程度の大きさの値を取るようにスケールアップされる、且つ／又は、
前記移動端末は、前記通常移動性状態及び前記高移動性状態において、それぞれ、前記組み合わせビーム品質値をスケーリングするために使用される少なくとも２つの異なるスケーリング係数を有するよう構成されている、
請求項１に記載の移動端末。
【請求項３】
前記組み合わせビーム品質値は、
前記少なくとも２つのセルの、前記最良信号品質を有する前記ビームを除いた前記複数のビームのうちの前記他のビームの測定された前記信号品質の合計値／平均値／相加平均値／中央値に対応する、又は、
前記少なくとも２つのセルの、前記最良信号品質を有する前記ビームを除いた前記複数のビームのうちの前記他のビームのサブセットの測定された前記信号品質の合計値／平均値／相加平均値／中央値に対応し、前記サブセットを形成するビームの数は、前記移動性状態に応じて変化し、好ましくは、前記サブセットを形成するビームの数は、前記移動端末によって前記移動性状態に応じて設定され、より好ましくは、前記高移動性状態において前記サブセットを形成するビームの数は、前記通常移動性状態において前記サブセットを形成するビームの数よりも大きくなるように設定される、又は、
前記少なくとも２つのセルの、前記最良信号品質を有する前記ビームを除いた前記複数のビームのうちの前記他のビームの数を示す整数に対応する、
請求項１又は２に記載の移動端末。
【請求項４】
動作中、少なくとも２つのセルの各セルの複数のビームの信号品質を測定する送受信機と、
動作中、少なくとも通常移動性状態又は高移動性状態の１つに構成され、
前記複数のビームのそれぞれの測定された前記信号品質に基づいて、前記少なくとも２つのセルの各セルについてのセル品質を決定し、
決定された前記セル品質を用いて、セル（再）選択基準に基づいて、前記少なくとも２つのセルから、キャンプするためのセルを（再）選択する
回路と、
を備えており、
前記セル品質は、前記少なくとも２つのセルの各セルについて、前記複数のビームのうち、最良信号品質を有する最大数のビームについての組み合わせビーム品質値として決定され、
前記組み合わせビーム品質値についてのビームの前記最大数は、前記最大数が前記高移動性状態においてより大きくなり、前記最大数が前記通常移動性状態においてより小さくなるように、移動性状態に応じて変化する、
移動端末。
【請求項５】
前記通常移動性状態において、前記組み合わせビーム品質値が決定されるビームの前記最大数は１の値を取る、且つ／又は、
前記高移動性状態において、前記組み合わせビーム品質値が決定されるビームの前記最大数は５の値を取る、且つ／又は、
前記移動端末は、前記通常移動性状態及び前記高移動性状態において、それぞれ、最大ビーム数として使用される少なくとも２つの異なる値を有するよう構成されている、
請求項４に記載の移動端末。
【請求項６】
前記組み合わせビーム品質値は、前記少なくとも２つのセルの前記最大数のビームの測定された前記信号品質の平均値／相加平均値／中央値に対応し、好ましくは、前記組み合わせビーム品質値は、前記複数のビームのうちの少なくとも２つのビームの測定された信号品質における差に応じて変化する重み付け係数によって、調整される、
請求項４又は５に記載の移動端末。
【請求項７】
前記少なくとも２つのセルの各セルの前記複数のビームの全てのビームは、設定された絶対閾値を超える測定された信号品質を有する、且つ／又は、
前記複数のビームの各ビームの前記信号品質は、参照信号受信電力又は参照信号受信品質の形で測定される、且つ／又は、
前記セル品質は、少なくとも設定された持続時間にわたって測定された前記複数のビームの各ビームの前記信号品質に基づいて決定される、且つ／又は、
前記少なくとも２つのセルの各セルについて、前記複数のビームは、更に、前記最良信号品質を有する前記ビームを決定するために、測定された前記信号品質を用いてランク付けされる、且つ／又は、
前記移動端末は、前記移動端末がＲＲＣ（Radio Resource Control）＿ＩＤＬＥ状態又はＲＲＣ_ＩＮＡＣＴＩＶＥ状態に構成されているときに、セル（再）選択を実行するよう構成されている、
請求項１〜６のうちのいずれか一項に記載の移動端末。
【請求項８】
移動端末がセル（再）選択を実行するための方法であって、前記移動端末は、少なくとも通常移動性状態又は高移動性状態の１つに構成される回路を備えており、前記方法は、
少なくとも２つのセルの各セルの複数のビームの信号品質を測定するステップと、
前記複数のビームのそれぞれの測定された前記信号品質に基づいて、前記少なくとも２つのセルの各セルについてのセル品質を決定するステップと、
決定された前記セル品質を用いて、セル（再）選択基準に基づいて、前記少なくとも２つのセルから、キャンプするためのセルを（再）選択するステップと、
を含み、
前記セル品質は、前記少なくとも２つのセルの各セルについて、最良信号品質を有するビームの測定された前記信号品質と、前記複数のビームのうちの他のビームについての組み合わせビーム品質値と、の合計値として決定され、
前記組み合わせビーム品質値は、前記組み合わせビーム品質値が、前記高移動性状態においてスケールアップされ、前記通常移動性状態においてスケールダウンされるように、移動性状態に応じて変化するスケーリング係数によって、スケーリングされる、
方法。
【請求項９】
前記通常移動性状態において、前記組み合わせビーム品質値は、ゼロの値を取るようにスケールダウンされる、且つ／又は、
前記高移動性状態において、前記組み合わせビーム品質値は、前記最良信号品質を有する前記ビームの測定された前記信号品質と同程度の大きさの値を取るようにスケールアップされる、且つ／又は、
前記移動端末は、前記通常移動性状態及び前記高移動性状態において、それぞれ、前記組み合わせビーム品質値をスケーリングするために使用される少なくとも２つの異なるスケーリング係数を有するよう構成されるステップを更に実行する、
請求項８に記載の方法。
【請求項１０】
前記組み合わせビーム品質値は、
前記少なくとも２つのセルの、前記最良信号品質を有する前記ビームを除いた前記複数のビームのうちの前記他のビームの測定された前記信号品質の合計値／平均値／相加平均値／中央値に対応する、又は、
前記少なくとも２つのセルの、前記最良信号品質を有する前記ビームを除いた前記複数のビームのうちの前記他のビームのサブセットの測定された前記信号品質の合計値／平均値／相加平均値／中央値に対応し、前記サブセットを形成するビームの数は、前記移動性状態に応じて変化し、好ましくは、前記サブセットを形成するビームの数は、前記移動端末によって前記移動性状態に応じて設定され、より好ましくは、前記高移動性状態において前記サブセットを形成するビームの数は、前記通常移動性状態において前記サブセットを形成するビームの数よりも大きくなるように設定される、又は、
前記少なくとも２つのセルの、前記最良信号品質を有する前記ビームを除いた前記複数のビームのうちの前記他のビームの数を示す整数に対応する、
請求項８又は９に記載の方法。
【請求項１１】
移動端末がセル（再）選択を実行するための方法であって、前記移動端末は、少なくとも通常移動性状態又は高移動性状態の１つに構成される回路を備えており、前記方法は、
少なくとも２つのセルの各セルの複数のビームの信号品質を測定するステップと、
前記複数のビームのそれぞれの測定された前記信号品質に基づいて、前記少なくとも２つのセルの各セルについてのセル品質を決定するステップと、
決定された前記セル品質を用いて、セル（再）選択基準に基づいて、前記少なくとも２つのセルから、キャンプするためのセルを（再）選択するステップと、
を含み、
前記セル品質は、前記少なくとも２つのセルの各セルについて、前記複数のビームのうち、最良信号品質を有する最大数のビームについての組み合わせビーム品質値として決定され、
前記組み合わせビーム品質値についてのビームの前記最大数は、前記最大数が前記高移動性状態においてより大きくなり、前記最大数が前記通常移動性状態においてより小さくなるように、移動性状態に応じて変化する、
方法。
【請求項１２】
前記通常移動性状態において、前記組み合わせビーム品質値が決定されるビームの前記最大数は１の値を取る、且つ／又は、
前記高移動性状態において、前記組み合わせビーム品質値が決定されるビームの前記最大数は５の値を取る、且つ／又は、
前記移動端末は、前記通常移動性状態及び前記高移動性状態において、それぞれ、最大ビーム数として使用される少なくとも２つの異なる値を有するよう構成されるステップを更に実行する、
請求項１１に記載の方法。
【請求項１３】
前記組み合わせビーム品質値は、前記少なくとも２つのセルの前記最大数のビームの測定された前記信号品質の平均値／相加平均値／中央値に対応し、好ましくは、前記組み合わせビーム品質値は、前記複数のビームのうちの少なくとも２つのビームの測定された信号品質における差に応じて変化する重み付け係数によって、調整される、
請求項１１又は１２に記載の方法。
【請求項１４】
前記少なくとも２つのセルの各セルの前記複数のビームの全てのビームは、設定された絶対閾値を超える測定された信号品質を有する、且つ／又は、
前記複数のビームの各ビームの前記信号品質は、参照信号受信電力又は参照信号受信品質の形で測定される、且つ／又は、
前記セル品質は、少なくとも設定された持続時間にわたって測定された前記複数のビームの各ビームの前記信号品質に基づいて決定される、且つ／又は、
前記少なくとも２つのセルの各セルについて、前記複数のビームは、更に、前記最良信号品質を有する前記ビームを決定するために、測定された前記信号品質を用いてランク付けされる、且つ／又は、
前記移動端末は、前記移動端末がＲＲＣ（Radio Resource Control）＿ＩＤＬＥ状態又はＲＲＣ_ＩＮＡＣＴＩＶＥ状態に構成されているときに、セル（再）選択を実行する、
請求項８〜１３のうちのいずれか一項に記載の方法。
【発明の詳細な説明】
【技術分野】
【０００１】
＜背景＞
（技術分野）
本開示は、無線通信システムにおいてセル（再）選択を実行する移動端末に関する。
【背景技術】
【０００２】
（関連技術の説明）
現在、第３世代パートナーシッププロジェクト（３ＧＰＰ：the 3rd Generation Partnership Project）は、次世代のセルラー技術（第５世代（５Ｇ）とも称される）の技術仕様の次のリリース（リリース１５）に重点的に取り組んでいる。
【０００３】
３ＧＰＰの技術仕様グループ（ＴＳＧ：Technical Specification Group）の無線アクセスネットワーク（ＲＡＮ：Radio Access network）会合＃７１（２０１６年３月、Gothenburg）において、ＲＡＮ１、ＲＡＮ２、ＲＡＮ３、及びＲＡＮ４が関与する、５Ｇの最初の検討項目「Study on New Radio Access Technology（新しい無線アクセス技術に関する検討）」が承認され、５Ｇの最初の標準規格を定義するリリース１５の作業項目（ＷＩ）になるものと予測される。
【０００４】
５Ｇ新無線（ＮＲ）の１つの目的は、非特許文献１（www.3gpp.orgで入手可能である）に定義されている全ての利用シナリオ、要件、及び配置シナリオに対処し、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、単一の技術的枠組みを提供することである。
【０００５】
例えば、ｅＭＢＢの配置シナリオには、屋内のホットスポット、密集都市部、郊外、都市部、及び高速が含まれうる。ＵＲＬＬＣの配置シナリオには、産業制御システム、モバイル健康管理（遠隔モニタリング、診断、および治療）、車両のリアルタイム制御、スマートグリッドの広域監視・制御システムが含まれうる。ｍＭＴＣには、スマートウェアラブルやセンサネットワークなど遅延の影響が小さいデータ伝送による多数の装置を使用するシナリオが含まれうる。
【０００６】
もう１つの目的は、将来のユースケース／展開シナリオを予見する前方互換性である。ＬＴＥ（Long Term Evolution）に対する後方互換性は不要であり、これにより、完全に新しいシステム設計及び／又は新規な機能の導入が容易になる。
【０００７】
ＮＲ検討項目についての技術報告書の１つ（非特許文献２）に要約されているように、共に無線リソース制御及び移動性管理の柔軟性を高める３つの状態、即ち、ＲＲＣ_ＩＤＬＥ、ＲＲＣ_ＩＮＡＣＴＩＶＥ及びＲＲＣ_ＣＯＮＮＥＣＴＥＤをサポートする無線リソース制御（Radio Resource Control）サブレイヤが考案されている。これらの状態は、以下のように特徴付けることができる。
【０００８】
ＲＲＣ_ＩＤＬＥ状態は、セル（再）選択移動性（cell (re-)selection mobility）によって特徴付けられる。ユーザ機器（ＵＥ：user equipment）のアクセス層（ＡＳ：Access Stratum）コンテキストを、ｇＮｏｄｅＢに、又は、ＵＥに記憶しないかは、更なる検討課題として残されている。ページングは、コアネットワーク（ＣＮ：Core Network）によって開始され、ページングエリアはＣＮによって管理される。
【０００９】
ＲＲＣ_ＩＮＡＣＴＩＶＥ状態も、セル（再）選択移動性によって特徴付けられる。ＣＮとＮＲランダムアクセスネットワーク（ＮＲ  ＲＡＮ：NR Random Access Network）インターフェースとの間で、ＵＥについて、即ち、Ｃ／Ｕプレーンの両方について、接続が確立されている。ＵＥのＡＳコンテキストは、少なくとも１つのｇＮｏｄｅＢとＵＥとに記憶される。ページングはＮＲ  ＲＡＮインターフェースによって開始され、ＲＡＮベースの通知エリアはＮＲ  ＲＡＮインターフェースによって管理される。ＮＲ  ＲＡＮインターフェースは、ＵＥが属するＲＡＮベースの通知エリアを認識している。
【００１０】
ＲＲＣ_ＣＯＮＮＥＣＴＥＤ状態は、ＮＲ無線リソース制御（ＲＲＣ：Radio Resource Control）接続を有するＵＥによって特徴付けられる。また、ＵＥは、ＮＲにおいてＡＳコンテキストを有する。ＮＲ  ＲＡＮインターフェースは、ＵＥが属するセルを認識しており、ＵＥへの又はＵＥからのユニキャストデータの転送がサポートされている。更に、移動性は、ネットワーク制御され、例えば、ＵＥは、ＮＲ内のセル間で、及び、Ｅ-ＵＴＲＡＮへ又はＥ-ＵＴＲＡＮから、ハンドオーバされる。
【００１１】
セル選択
セル選択は、以下の２つの手順のうちの１つによって実行される。
ａ）初期セル選択（どのＲＦチャネルがＮＲキャリアであるかについての事前認識なし）
１．ＵＥは、自己の能力に従ってＮＲ帯域内の全てのＲＦチャネルをスキャンして、適切なセルを見つける。
２．各キャリア周波数において、ＵＥは、最も強いセルを探索するだけでよい。
３．適切なセルが見つかると、このセルを選択する。
ｂ）記憶情報を利用することによるセル選択
１．この手順は、以前に受信された測定制御情報要素から、又は、以前に検出されたセルから、得られたキャリア周波数の記憶情報及びオプションとしてセルパラメータに関する情報も必要とする。
２.ＵＥは、適切なセルを見つけると、それを選択する。
３.適切なセルが見つからない場合、初期セル選択（Initial Cell Selection）手順が開始される。
【００１２】
ＵＥがＲＲＣ_ＩＤＬＥ状態にある間、以下の３つのレベルのサービス、即ち、
・限定サービス（許容可能なセルにおける緊急呼、ＥＴＷＳ及びＣＭＡＳ）、
・通常サービス（適切なセルにおける公衆用途（public use）用）、
・オペレータサービス（予約セルにおけるオペレータ用のみ）
が提供される。
【００１３】
許容可能なセル（acceptable cell）、適切なセル（suitable cell）、禁止セル（barred cell）及び予約セル（reserved cell）の定義は、ＮＲにおけるセル選択についても適用できる。以下の条件が満たされる場合、セルは、適切であると見なされる。
・セルの測定品質が閾値を超えている。
・セルは、選択された／登録されたＰＬＭＮによって提供されており、禁止されていない。
【００１４】
マルチビームのオペレーションにおいて、セルの測定品質は、同じセルに対応するビームの間で導出される。複数のビームからセルレベル測定品質をどのようにして導出するかは、更なる検討課題として残されているが、それは、ＲＲＣ_ＣＯＮＮＥＣＴＥＤにおけるものについて異なるかもしれない、又は、異なる必要はない。
【００１５】
セル再選択
以下のセル再選択メカニズムは、ＵＥがＮＲにおけるセルにキャンプしている間にブロードキャストされる対応するパラメータに基づいて、適用できる。
・周波数内再選択（intra-frequency reselection）はセルのランク付け（ranking）に基づく。
・周波数間再選択（inter-frequency reselection）は絶対的な優先順位に基づく。
・ＲＡＴ間再選択（inter-RAT reselection）も絶対的な優先順位に基づくことができる。
・周波数における全ての隣接セルに共通な周波数固有セル再選択パラメータ。
・サービス固有優先順位付け（service specific prioritization）。
【００１６】
ＮＲについて、このサービス固有優先順位付けをどのサービスに適用するか、及び、それをネットワークスライスの場合にどのように適用できるかは、更なる検討課題として残されている。
・隣接セルリスト（neighbor cell list）及びブラックセルリスト（black cell list）の概念。
・速度依存セル再選択。
【００１７】
マルチビームのオペレーションにおいて、セルの測定品質は、同じセルに対応するＮ個の最良ビームから導出され、ここで、Ｎの値は、１に又は１より大きく、設定されてよい。
【００１８】
また、適用すべきフィルタリングの詳細（例えば、Ｎ＝１の場合について、最良ビームは、変化するので、単一のフィルタによってフィルタリングされる）と閾値を超えるビーム（良好なビーム）のみを考慮するか否かとも、更なる検討課題として残されている。
【００１９】
ネットワーク制御される移動性（Network controlled mobility）
ネットワーク制御される移動性は、ＲＲＣ_ＣＯＮＮＥＣＴＥＤ状態にあるＵＥに適用され、ＲＲＣ有りで、又は、ＲＲＣ無しで処理される。ＲＲＣ駆動型の移動性は、例えばハンドオーバのようなセルレベルの移動性を担っている。ハンドオーバシグナリング手順は、Ｒｅｌ-１３  ＬＴＥと同じ原理を採用している。ｇＮＢ間ハンドオーバについて、そのシグナリング手順は、少なくとも以下の基本的な構成要素から成る。
１.ソースｇＮＢが、ハンドオーバを開始し、Ｘｎインターフェースを介してハンドオーバ要求（Handover Request）を発行する。
２.ターゲットｇＮＢが、アドミッション制御（admission control）を実行し、ハンドオーバ確認応答（Handover Acknowledgement）の一部としてＲＲＣ構成（RRC configuration）を提供する。
３.ソースｇＮＢが、ハンドオーバコマンド（Handover Command）においてＲＲＣ構成をＵＥに提供する。ハンドオーバコマンドメッセージには、少なくともセルＩＤとターゲットセルにアクセスするために必要な全ての情報とが含まれているので、ＵＥはシステム情報を読み取らずにターゲットセルにアクセスできる。場合によっては、コンテンションベース（contention based）とコンテンションフリー（contention free）のランダムアクセスに必要な情報を、ハンドオーバコマンドメッセージに含めることができる。ターゲットセルへのアクセス情報には、ビーム固有情報が、もしあれば、含まれていてもよい。
４.ＵＥが、ＲＲＣ接続をターゲットｇＮＢに移動させ、ハンドオーバ完了（Handover Complete）を返信する。
【００２０】
ＲＲＣによって駆動されるハンドオーバメカニズムは、ＵＥにマルチコネクティビティ（multi-connectivity）が設定されていない場合、少なくともＭＡＣエンティティ（MAC entity）をリセットするようＵＥに要求する。ＰＤＣＰエンティティの再確立あり及び再確立なしのハンドオーバがサポートされるが、これは、セキュリティキーの変更なしのハンドオーバが許容可能か否かに従ってＳＡ３によって確認される。ＮＲ内におけるハンドオーバについて、（上位層の観点から）重複のない連続した無損失の配信がサポートされる。
【００２１】
ＱｏＳフローがハンドオーバ時に再マッピングできるか否か、及び、もしサポートされるならば、そのハンドオーバがこの場合に無損失であるか否かは、更なる検討課題として残されている。
【００２２】
ＲＲＣ無しの移動性については、それは、ビーム又はＴＲｘＰレベルにおいてＰＨＹ及び／又はＭＡＣによって処理される。そのため、セル内の移動性は、ＲＲＣ無しの移動性で処理できる。１つのｇＮＢは、１つ又は複数のＴＲｘＰに対応する。
【００２３】
また、セル内の移動性をＲＲＣによって処理する必要がある場合があるか否かも、更なる検討課題として残されている。
【先行技術文献】
【非特許文献】
【００２４】
【非特許文献１】3GPP TSG RAN TR 38.913 v14.1.0, “Study on Scenarios and Requirements for Next Generation Access Technologies”, Dec. 2016
【非特許文献２】3GPP TSG TR 38.804 v. 14.0.0, “Study on New Radio Access Technology; Radio Interface Protocol Aspects”, March 2017
【発明の概要】
【００２５】
１つの非限定的で例示的な実施形態は、各々が複数のビームを有する少なくとも２つの適切なセルを有するシステムにおいて、ロバストな（信頼できる）態様で、即ち、移動端末の移動性状態を利用して、複数のビームから得られる測定値がセル品質の各セル品質の決定に対して有する影響度を変更することによって、移動端末がセル（再）選択を実行することを容易にする。
【００２６】
一実施形態において、ここに開示される技術の特徴として、無線通信システムにおいてセル（再）選択を実行する移動端末が提案される。このシステムは、移動端末がキャンプするための少なくとも２つの適切なセルを有する。各セルは、複数のビームを有するよう構成されている。更に、移動端末は、少なくとも通常移動性状態又は高移動性状態の１つに構成される。移動端末は、動作中、少なくとも２つの適切なセルの各適切なセルの複数のビームの信号品質を測定し、複数のビームのそれぞれの測定された信号品質に基づいて、少なくとも２つの適切なセルの各適切なセルについてのセル品質を決定し、決定されたセル品質を用いて、セル（再）選択基準に基づいて、少なくとも２つの適切なセルから、キャンプするためのセルを（再）選択する回路を備えている。セル品質は、少なくとも２つの適切なセルの各適切なセルについて、最良信号品質を有するビームの測定された信号品質と、複数のビームのうちの他のビームについての組み合わせビーム品質値と、の合計値として決定され、組み合わせビーム品質値は、組み合わせビーム品質値が、高移動性状態においてスケールアップされ、通常移動性状態においてスケールダウンされるように、移動性状態に応じて変化するスケーリング係数によって、スケーリングされる。
【００２７】
別の概括的な一態様において、ここに開示される技術の特徴として、無線通信システムにおいてセル（再）選択を実行する別の移動端末が提案される。このシステムは、移動端末がキャンプするための少なくとも２つの適切なセルを有する。これらのセルの各セルは、複数のビームを有するよう構成されている。更に、移動端末は、少なくとも通常移動性状態又は高移動性状態の１つに構成される。移動端末は、動作中、少なくとも２つの適切なセルの各適切なセルの複数のビームの信号品質を測定し、複数のビームのそれぞれの測定された信号品質に基づいて、少なくとも２つの適切なセルの各適切なセルについてのセル品質を決定し、決定されたセル品質を用いて、セル（再）選択基準に基づいて、少なくとも２つの適切なセルから、キャンプするためのセルを（再）選択する回路を備えている。セル品質は、少なくとも２つの適切なセルの各適切なセルについて、複数のビームのうち、最良信号品質を有する最大数のビームについての組み合わせビーム品質値として決定され、組み合わせビーム品質値についてのビームの最大数は、最大数が高移動性状態においてより大きくなり、最大数が通常移動性状態においてより小さくなるように、移動性状態に応じて変化する。
【００２８】
更なる概括的な一態様において、ここに開示される技術の特徴として、移動端末が無線通信システムにおいてセル（再）選択を実行するための方法が提案される。このシステムは、移動端末がキャンプするための少なくとも２つの適切なセルを有する。これらのセルの各セルは、複数のビームを有するよう構成されている。更に、移動端末は、少なくとも通常移動性状態又は高移動性状態の１つに構成される。方法は、移動端末によって実行される次のステップ、即ち、少なくとも２つの適切なセルの各適切なセルの複数のビームの信号品質を測定するステップと、複数のビームのそれぞれの測定された信号品質に基づいて、少なくとも２つの適切なセルの各適切なセルについてのセル品質を決定するステップと、決定されたセル品質を用いて、セル（再）選択基準に基づいて、少なくとも２つの適切なセルから、キャンプするためのセルを（再）選択するステップと、を含む。セル品質は、少なくとも２つの適切なセルの各適切なセルについて、最良信号品質を有するビームの測定された信号品質と、複数のビームのうちの他のビームについての組み合わせビーム品質値と、の合計値として決定され、組み合わせビーム品質値は、組み合わせビーム品質値が、高移動性状態においてスケールアップされ、通常移動性状態においてスケールダウンされるように、移動性状態に応じて変化するスケーリング係数によって、スケーリングされる。
【００２９】
更に別の概括的な一態様において、ここに開示される技術の特徴として、移動端末が無線通信システムにおいてセル（再）選択を実行するための別の方法が提案される。このシステムは、移動端末がキャンプするための少なくとも２つの適切なセルを有する。各セルは、複数のビームを有するよう構成されている。更に、移動端末は、少なくとも通常移動性状態又は高移動性状態の１つに構成される。方法は、移動端末によって実行される次のステップ、即ち、少なくとも２つの適切なセルの各適切なセルの複数のビームの信号品質を測定するステップと、複数のビームのそれぞれの測定された信号品質に基づいて、少なくとも２つの適切なセルの各適切なセルについてのセル品質を決定するステップと、決定されたセル品質を用いて、セル（再）選択基準に基づいて、少なくとも２つの適切なセルから、キャンプするためのセルを（再）選択するステップと、を含む。セル品質は、少なくとも２つの適切なセルの各適切なセルについて、複数のビームのうち、最良信号品質を有する最大数のビームについての組み合わせビーム品質値として決定され、組み合わせビーム品質値についてのビームの最大数は、最大数が高移動性状態においてより大きくなり、最大数が通常移動性状態においてより小さくなるように、移動性状態に応じて変化する。
【００３０】
なお、一般的な実施形態又は特定の実施形態は、システム、方法、集積回路、コンピュータプログラム、記憶媒体、又はこれらの任意の選択的な組合せとして、実施できることに留意されたい。
【００３１】
開示されている実施形態の更なる恩恵及び利点は、本明細書及び図面から明らかになるであろう。これらの恩恵及び／又は利点は、本明細書及び図面の様々な実施形態及び特徴によって個別に得ることができ、ただしこのような恩恵及び／又は利点の１つ又は複数を得るために、これらの特徴全てを設ける必要はない。
【図面の簡単な説明】
【００３２】
【図１】移動端末及び基地局の構成を示すブロック図である。
【図２】３ＧＰＰ  ＮＲ展開シナリオのコンテキストにおけるセル（再）選択メカニズムを示す概略図である。
【図３】３ＧＰＰ  ＮＲ展開シナリオのコンテキストにおいてセル（再）選択メカニズムを実行する例示的な状況を示す概略図である。
【図４】３ＧＰＰ  ＮＲ展開シナリオにおいて図３のセル（再）選択メカニズムを実行する例示的な状況についての測定値を示す概略図である。
【発明を実施するための形態】
【００３３】
＜詳細な説明＞
TR 38.913において特定されているように、ＮＲについての様々なユースケース／展開シナリオには、データレート、レイテンシ及びカバレッジの観点から様々な要件がある。これらの要件を念頭に置いて、ＮＲは、ＬＴＥと比較して更に高いカバレッジを目指す必要がある。
【００３４】
３ＧＰＰ  ＲＡＮ１＃８５において、ｇＮｏｄｅＢの送受信点（ＴＲｘＰ：Transmission Reception Point）とＵＥとの間におけるビームベースの送信が、カバレッジを保証するための技術としてＮＲについて広く議論されている。ビーム管理について、ＴＲｘＰ内ビームフォーミング手順及びＴＲｘＰ間ビームフォーミング手順の両方が検討されており、次の起こり得るユースケース、即ち、ＵＥの移動、ＵＥの回転、ビームブロッキング（ＴＲｘＰでのビームの変更及びＵＥでの同じビーム；ＴＲｘＰでの同じビーム及びＵＥでのビームの変更；又は、ＴＲｘＰでのビームの変更及びＵＥでのビームの変更）（他のケースも排除されない）に従って、ビームフォーミング手順が、ＴＲｘＰビームフォーミング／ビームスウィーピング有り／無しと、ＵＥビームフォーミング／ビームスウィーピング有り／無しと、で検討されている。事前に取得されたビーム情報の有り／無しでのビーム（例えば、１つ以上のＴＲｘＰビーム及び／又は１つ以上のＵＥビーム）管理手順（例えば、ビーム決定及び変更手順）を検討すること、即ち、データ送受信及び制御送受信の両方について、このビーム管理手順を検討することが、更に合意されている。これらの手順は、データと制御とについて同じである場合も同じでない場合もあるであろう。
【００３５】
ＲＲＣ_ＣＯＮＮＥＣＴＥＤ状態において、ＵＥは、セルの複数のビーム（少なくとも１つ）を測定し、それらの測定結果（電力値）を平均化してセル品質を導出する。その際、ＵＥは、検出されたビームのサブセット、即ち、絶対閾値を超えるＮ個の最良ビームを考慮するよう構成されている。フィルタリングが、２つの異なるレベルにおいて、即ち、ビーム品質を導出する物理層レベルにおいて、次いで、複数のビームからセル品質を導出するＲＲＣ層レベルにおいて、実行される。ビーム測定値から得られるセル品質は、１つ以上のサービングセル及び１つ以上の非サービングセルについて同じやり方で導出される。測定レポートにはＸ個の最良ビームの測定結果が含まれてもよく、その場合、ＵＥは、ｇＮｏｄｅＢによって、そうするように設定されている。
【００３６】
しかしながら、現在のところ、ＲＲＣ_ＩＤＬＥ状態又はＲＲＣ_ＩＮＡＣＴＩＶＥ状態でのセル（再）選択の移動性については合意に達していない。
【００３７】
ＲＲＣ_ＣＯＮＮＥＣＴＥＤ状態、ＲＲＣ_ＩＤＬＥ状態、又は、ＲＲＣ_ＩＮＡＣＴＩＶＥ状態におけるネットワーク制御される移動性とは異なり、移動性は、ネットワークからの制御の無いセル（再）選択メカニズムによって保証される。したがって、上に列挙した合意は、これに適用され得ない。また、Ｅ-ＵＴＲＡＮからの十分に確立されたセル（再）選択メカニズムは、３ＧＰＰ  ＮＲ展開シナリオにおいては機能しない。このようなメカニズムの使用は、３ＧＰＰ  ＮＲにおいて導入されるマルチビームのオペレーションとの本質的な不適合性のために、一般的に禁止されている。
【００３８】
したがって、非限定的で例示的な一実施形態は、各々が複数のビームを有する少なくとも２つの適切なセルを有するシステムにおいて、ロバストな（信頼できる）態様で、即ち、移動端末の移動性状態を利用して、複数のビームのうちの１つ以上のビームから得られる測定値がセル品質の各セル品質の決定に対して有する影響度を変更することによって、移動端末がセル（再）選択を実行することを容易にする。
【００３９】
提案されるロバストなメカニズムは、図３及び図４に示されている具体的な例を見れば、より良く理解できるであろう。この理解は、概して、指向性及び／又はカバレッジを向上させるためにビームの概念が導入されている３ＧＰＰ  ＮＲの展開シナリオに基づいているが、それには限定されない。これは、３ＧＰＰ  ＮＲが機能することが意図されている想定される非常に高い周波数帯域（ミリメートル波）に鑑みて、特に有利である。
【００４０】
図３に示されているように、ｇＮＢは、セル（例えば、セルＡ又はセルＢ）を有して、複数のビーム（例えば、ビーム＃０からビーム＃４）で通信するよう構成されてよい。これは、ＵＥによる初期アクセスに必要である。ｇＮＢは、ｇＮＢとＵＥとの間の接続を確立した後、ＵＥにダウンリンクを単一のビーム（これは「ダウンリンクサービングビーム」又は「ダウンリンクビーム」と呼ばれる）によって提供する。とは言え、マルチビームのシナリオも想定できる、即ち、例えばキャパシティを増大させるために、ｇＮＢは、２つ以上の個別のビームを介してＵＥにダウンリンクを提供することも想定できる、ことを理解されたい。
【００４１】
同様に、ＵＥも、複数のビーム（例えば、ビーム＃０からビーム＃４）で通信するよう構成されてよい。これも、同様に、ＵＥによる初期アクセスに必要である。ＵＥは、接続を確立した後、アップリンクについて、同じく単一のビーム（これは「アップリンクサービングビーム」又は「アップリンクビーム」と呼ばれる）によってｇＮＢにアップリンクトラフィックを送っている。しかしながら、この単一のアップリンクサービングビームは、ダウンリンクが提供されるビームと必ずしも同じではない。アップリンクにおいてもマルチビームのシナリオが想定でき、したがって、本開示は、いかなる点においても限定的なものとして解釈されるべきではない。
【００４２】
一般的に、ダウンリンクサービングビームとアップリンクサービングビームとの１つ以上のペアは、ｇＮＢとＵＥとの間のダウンリンク通信とアップリンク通信とについて適切な特性（例えば、許容可能な信号品質）を有する。多くの場合、１つ以上のペアを成すダウンリンクサービングビームとアップリンクサービングビームとの間には指向性についての対応関係があること、即ち、ペアを成すダウンリンクサービングビームとアップリンクサービングビームとは、方向が互いに反対でありカバレッジが互いに同様であるビームであること、を容易に理解できるであろう。
【００４３】
このコンテキストにおいて、３ＧＰＰ  ＮＲにおけるｇＮＢは、１つ以上のＴＲｘＰ（送受信点（Transmit/Receive point）又はＴｘ／Ｒｘ点）を有するセルを有するよう構成されており、各ＴＲｘＰは、特定の方向及び特定のカバレッジを有する１つ以上のダウンリンクサービングビーム及び／又はアップリンクサービングビームにリンクされている。マルチビームの構成の場合、ｇＮＢは、複数のＴＲｘＰを有するよう構成されてもよい、即ち、異なる方向及び／又はカバレッジを有するビームを送信／受信できるよう構成されてもよい。
【００４４】
具体的な例に戻ると、ビームの指向性及びカバレッジが制限されているので、固定位置におけるＵＥは、ｇＮＢにおいて構成されたセル内の複数のダウンリンクビーム（例えば、ビーム＃０からビーム＃４）を介してではなく、（例外的な伝搬条件が発生しない限り）ｇＮＢの単一のダウンリンクビームのみからダウンリンク通信を受信する。同様に、ｇＮＢは、反対方向と同様のカバレッジとを有する、ＵＥの単一のアップリンクビームから、アップリンク通信を受信する。したがって、ダウンリンクサービングビームとアップリンクサービングビームとの個別のペア（例えば、セルＡのビーム＃３とＵＥのビーム＃１）が、ｇＮＢとＵＥとの間のダウンリンク通信とアップリンク通信とについての許容可能な信号品質に寄与する。
【００４５】
しかしながら、これは、ＵＥの移動性の影響を考慮すると、変化する。
【００４６】
ＵＥが（図３の破線で示されているように）その位置を変更すると、この移動は、ｇＮＢとＵＥとの間のダウンリンク通信とアップリンク通信とについての許容可能な信号品質に対する、ダウンリンクサービングビームとアップリンクサービングビームとの個別のペアの寄与度を低下させる。逆に、補完的な指向性及びカバレッジを有する複数のダウンリンクサービングビーム及びアップリンクサービングビーム（セルＡのビーム＃１からビーム＃３及びＵＥのビーム＃１からビーム＃２）の間のシームレスな遷移は、ｇＮＢとＵＥとの間のダウンリンク通信とアップリンク通信とについての許容可能な品質を実現する。
【００４７】
したがって、ＵＥの移動性（ＵＥの移動性状態とも呼ぶ）に応じて、ダウンリンクサービングビームとアップリンクサービングビームとの個別のペアの寄与度は、ｇＮＢとＵＥとの間のアップリンク通信とダウンリンク通信とについての許容可能な信号品質を、補完的なカバレッジ及び指向性を有する複数のダウンリンクサービングビーム及びアップリンクサービングビームを介してのみ実現できる程度にまで、変化する。
【００４８】
次に、セル選択又はセル再選択のメカニズムについて述べる。
【００４９】
容易に理解できる点として、ＵＥは、それがキャンプするセルを識別するために、自律的にセル選択又はセル再選択を実行する。キャンプは、コアネットワークが、専らＵＥと一方向において即ちダウンリンク通信の形で通信できる接続タイプを指す。ＵＥとのダウンリンク通信のこの形は、コアネットワークによって開始されるページングとも呼ばれる。
【００５０】
ネットワークの観点から、ＵＥは、異なるタイプのセル、即ち、許容可能なセル、適切なセル、禁止セル、又は予約セルにキャンプできる。セルのタイプに応じて、ＵＥには異なるレベルのサービスが提供される。例えば、許容可能なセルは、緊急呼、地震及び津波警報システム（ＥＴＷＳ：earthquake and tsunami warning system）サービス、又は、商用モバイル警報システム（ＣＭＡＳ：commercial mobile alert system）サービスのような限定サービスを提供するものとして定義されている。許容可能なセルの限定サービスは、ネットワークが達成しようとしている機能に対するベースライン（baseline）である。
【００５１】
適切なセルは、許容可能なセルとは異なり、通常のサービスをＵＥに提供する。換言すれば、ＵＥが適切なセルにキャンプしているとき、このＵＥは、通常のサービスが提供されるように、パブリックランドモバイルネットワーク（ＰＬＭＮ：public land mobile network）によってサービングされる。単純にするために、以下の説明は、適切なセルのみに限定されており、したがって、適切なセル間におけるセル選択又はセル再選択のみを考慮している。
【００５２】
更に、ページングの形でのダウンリンク通信は、前述のｇＮＢとＵＥとの間におけるダウンリンク通信及びアップリンク通信との直接的な比較にはならない。ページングは、サービングビームのペア、例えばダウンリンクサービングビームとアップリンクサービングビームとのペアを介した通信とは異なり、ｇＮＢの特定のサービングビームによって拘束されない。
【００５３】
代わりに、ページングの形でのダウンリンク通信は、特定のページングエリア内における全ての適切なセルの（特定の１つ以上のダウンリンクサービングビームではない）複数のダウンリンクビームを介して行われる。要するに、ページングは、通信経路を制御又は管理しないダウンリンク通信を提供するが、通信リソース量の増加を抑えることを犠牲にしている。
【００５４】
また、ページングダウンリンク通信は、図３に示されているセルの（同じ）ダウンリンクビームを介して行われるが、（複数の）セルの全てのビームによって影響を受けるという特徴がある。換言すれば、コアネットワークによって開始されるページングは、ＵＥへのダウンリンク通信がセルの全てのビーム（例えば、セルＡ及びセルＢのビーム＃０からビーム＃４）を介して送信されることをもたらし、その際、ビームの指向性及びカバレッジだけが、そのページングが許容可能な品質で受信されるか否かを決める。
【００５５】
しかしながら、ビームの指向性及びカバレッジが制限されているので、ＵＥは、（複数の）セルの全てのビームからはページングを受信しない。そうではなく、ＵＥは、（複数の）セルのうちの１つのセル、即ち、ＵＥの所与の移動性状態について、それらの複数のセル（例えば、適切なセル）のうちで最も強いセルである１つのセル、を選択又は再選択する必要がある。ＵＥは、最も強いセルを選択すると、測定されたセル品質に著しい変化がない限り、そのセルにキャンプする。
【００５６】
セルの選択又は再選択の決定は、測定された信号品質に基づいて実行される。特に、ＵＥは、この決定を、これらのビームの各ビームの信号品質の測定値に基づいて行い、ここで、例えば、その受信信号強度は、絶対閾値を超えている。例示的には、信号品質は、ｇＮＢがネットワーク構成のリソース上で複数のビームの各々によって送信する参照信号によって測定されてよい。
【００５７】
前にも述べたが、ビームの指向性及びカバレッジが制限されているので、セルのビームの測定される信号品質は、実質的にＵＥの位置に依存する。例えば、図３において、ＵＥは、セルＡのビーム＃３及びセルＢのビーム＃１で最良信号品質を測定することが予想される。したがって、セルＡのビーム＃３及びセルＢのビーム＃１は、測定される信号品質が最も高い最良ビームである。
【００５８】
更に、ビームのカバレッジが制限されているので、ＵＥは、絶対閾値を下回る、セルＡのビーム＃０からビーム＃２及びセルＡのビーム＃４についての信号品質を測定する。同様に、ビームの指向性が制限されているので、ＵＥは、最良ビーム（例えば、セルＢのビーム＃１）の信号品質よりも低い、セルＢのビーム＃０及びビーム＃２についての信号品質を測定し、ビーム＃３及びビーム＃４については、絶対閾値を下回る信号品質を測定する。
【００５９】
単純にするために、絶対閾値を下回るビームの信号品質測定は、更なる考慮から除かれる。例えば、そのような絶対閾値は、セルの受信同期信号品質
【数１】
2021510965.tif 000003
（これは、同期信号のリソースエレメント（ＲＥ：Resource Element）あたりのエネルギを、同じＲＥについての雑音及び干渉の総受信エネルギで割ったものとして定義される）に関して定義可能である、即ち、信号品質が少なくとも−６ｄＢ又は少なくとも−４ｄＢになるように定義可能である。
【００６０】
これらの信号品質測定値は、図４に示されている。換言すれば、図４は、図３のセル（再）選択メカニズムを実行する例示的な状況についての測定値を示している。
【００６１】
これに基づけば、（適切な）セル品質の決定は、セル選択又はセル再選択がロバストな（信頼できる）態様で実行されることを可能にするための更なる考慮を必要とすることが即座に明らかである。特に、全ての測定されたビーム品質を用いてセル品質を決定すると、これは、以下の説明からわかるように、不適切なセル（再）選択をもたらす可能性がある。
【００６２】
説明の便宜上、図４に示されている例は、セルＡ及びセルＢの各々について、測定値が絶対閾値を上回っているという前提で、セルの全てのビームの各ビームの測定された信号品質の（算術）平均値を明示している。セルＡについては、単一のビーム、即ちビーム＃３のみの測定された信号品質が（算術）平均値において考慮されている。セルＢについては、３つのビーム、即ちビーム＃０からビーム＃２の測定された信号品質が（算術）平均値において考慮されている。
【００６３】
今、セルＡ及びセルＢの各々の（算術）平均値がそれぞれのセル品質として決定されると仮定すると、これらのセル品質に基づくセル（再）選択は、（セルＢではなく）セルＡの選択をもたらす。しかしながら、これは、ロバストな（信頼できる）セル（再）選択とは見なせない。むしろ、セルＢのみが、特にＵＥの移動性が高い場合に、例えば、ＵＥが高移動性状態にある場合に、補完的なカバレッジ及び指向性を有する複数のビーム間のシームレスな遷移を保証できる。
【００６４】
したがって、セルの全てのビームの信号品質測定値に基づいてセル品質を決定し、尚且つ、ビーム数が僅か１つ又は少数であるセルと比べて、多数のビームを有するセルを不利にすることのないロバストな（信頼できる）セル（再）選択メカニズムが必要である。多数のビームを有するセルが不利になることが回避されるときにのみ、そのように決定されたセル品質は、ロバストな（信頼できる）セル（再）選択が実行されることを確実にしうる。
【００６５】
本開示は、セル品質の決定に対する、複数のビームから得られる信号品質測定値の影響度を変更することによって、ロバストな（信頼できる）セル（再）選択メカニズムを提供する。これらの変更は、ＵＥの移動性状態に応じて異なる。換言すれば、本開示は、測定されたビーム品質を考慮するだけではなく、ＵＥの移動性状態を利用して、セル品質に対するそれらの影響度を変更する、セル品質の決定を規定している。
【００６６】
これらのメカニズムは、３ＧＰＰ  ＮＲにおける提案シナリオに特に適しており、これに従えば、セル選択又はセル再選択は、ＵＥが、複数のビームの各々がＵＥに対するページングの形でダウンリンク通信を同様に運ぶセルにキャンプすることをもたらし、したがって、例えば高移動性状態において、補完的な指向性及びカバレッジを有する複数のビームを介してその受信を可能にする。
【００６７】
概して、本開示は、少なくとも２つの適切なセルを有する無線通信システムにおけるセル選択又はセル再選択のための装置及び方法を提供し、セル品質値が、複数のビームのうちの１つ以上のビームの測定された信号品質を反映し且つ移動性状態に応じて変化する組み合わせビーム品質値に基づいて、決定される。移動性状態は、時間の経過と共に変化しうるので、組み合わせビーム品質値がセルの全てのビームから得られる測定された信号品質を反映することが有利な状況（例えば、高移動性状態）に、あるいは、組み合わせビーム品質値がセルの１つ以上の最良品質ビームだけから得られる測定された信号品質を反映することが有利である別の状況（例えば、通常移動性状態）に、より良く適合できるように、組み合わせビーム品質値が変更される。
【００６８】
この目的のために、第１の実施形態において、組み合わせビーム品質値（それ自体）が、最良ビームの測定されたビーム品質と、その最良品質ビームを除く他のビームの組み合わせビーム品質値と、の合計値であることが提案される。最良品質ビームを除く他のビームの組み合わせビーム品質値は、最良ビームを除く他のビームの組み合わせビーム品質値が、高移動性状態においてスケールアップされ、低移動性状態においてスケールダウンされるように、移動性状態に応じて変化するスケーリング係数によって、スケーリングされる。したがって、セル選択又はセル再選択の一部としてセル品質を決定する際に、移動性状態に応じて、セルの全てのビームの測定された信号品質が有する影響度が変更される。
【００６９】
また、第２の実施形態において、最良品質ビームを含む全てのビームの組み合わせビーム品質値において考慮される最大ビーム数は、最大ビーム数が、高移動性状態においてより大きくなり、低移動性状態においてより小さくなるように、移動性状態に応じて変更されることが提案される。したがって、この場合においても、セル選択又はセル再選択の一部としてセル品質を決定する際に、移動性状態に応じて、セルの全てのビームの測定された信号品質が有する影響度が変更される。
【００７０】
図１は、移動端末１１０と、ダウンリンク通信１５０用に複数のビームを有する適切なセルを有するよう各々が構成されている１つ、好ましくは少なくとも２つの基地局１６０と、を含む無線通信システムのブロック図を示している。移動端末１１０は、通常移動性状態又は高移動性状態の少なくとも１つに、好ましくは、通常移動性状態、高移動性状態、又は、（中間）中程度移動性状態の１つに構成される。換言すれば、移動端末１１０と基地局１６０との間のダウンリンク通信１５０は、移動端末１１０の移動性状態に応じて、１つの、場合によっては複数の（例えば、急速に変化する）ビーム上で行われている。
【００７１】
本開示のコンテキストにおいて、ビームという用語は、特定の（予め定められた）指向性及び／又はカバレッジを有すると解釈されるべきである。ビームの各々は、異なる指向性及び／又はカバレッジを有するので、送信機が信号を異なる（空間）位置の受信機に送信できることをもたらす。換言すれば、ビームの各々は、異なる空間パラメータ（例えば、利得及び／又はビーム幅）を有する。
【００７２】
移動端末１１０は、動作中、少なくとも２つの適切なセルの各適切なセルの複数のビームの信号品質を測定する送受信機１２０を備えている。更に、移動端末１１０は、プロセッサ１３０を備えており、プロセッサは、動作中、複数のビームのそれぞれの測定された信号品質に基づいて、少なくとも２つの適切なセルの各適切なセルについてのセル品質を決定し、決定されたセル品質を用いて、セル（再）選択基準に基づいて、少なくとも２つの適切なセルから、キャンプするためのセルを（再）選択するように、送受信機１２０を構成する。
【００７３】
第１の実施形態に従えば、プロセッサ１３０は、動作中、少なくとも２つの適切なセルの各適切なセルについてのセル品質を、最良信号品質を有するビームの測定された信号品質と、複数のビームのうちの他のビームについての組み合わせビーム品質値と、の合計値として、決定するよう適合されており、ここで、組み合わせビーム品質値は、組み合わせビーム品質値が、高移動性状態においてスケールアップされ、通常移動性状態においてスケールダウンされるように、移動性状態に応じて変化するスケーリング係数によってスケーリングされる。
【００７４】
第２の実施形態に従えば、プロセッサ１３０は、動作中、少なくとも２つの適切なセルの各適切なセルについてのセル品質を、複数のビームのうち、最良信号品質を有する最大数のビームについての組み合わせビーム品質値として、決定するよう適合されており、ここで、組み合わせビーム品質値についてのビームの最大数は、最大数が高移動性状態においてより大きくなり、最大数が通常移動性状態においてより小さくなるように、移動性状態に応じて変化する。
【００７５】
１つの、好ましくは少なくとも２つの基地局１６０は、各々、複数のビームを有する適切なセルを有するよう構成されており、動作中、移動端末１１０がセルのうちの１つに対するセル選択又はセル再選択を実行するために、複数のビームによって信号を移動端末１１０に送信する、送受信機１７０及びプロセッサ１８０を備えている。
【００７６】
図２は、３ＧＰＰ  ＮＲ展開シナリオのコンテキストにおいてセル（再）選択メカニズムを実行する例示的な状況を概略図の形で示している。なお、この図には同じ要素について他の図と同じ参照番号が含まれており、簡潔さの理由により、繰り返しの説明が省略されている。
【００７７】
無線通信システムにおいてセル選択又はセル再選択を実行する移動端末１１０（ＵＥとも呼ばれる）が再び示されている。この無線通信システムは、少なくとも２つの基地局１６０−１、１６０−２を含み、これらの基地局は、各々、移動端末１１０がキャンプするための適切なセル（例えば、セルＡ及びセルＢ）を有するよう構成されている。これらの少なくとも２つの適切なセル（例えば、セルＡ及びセルＢ）の各々は、複数のビームを有する。移動端末１１０は、これらの適切なセルのいずれかから、前述の如く、その通常のサービスを受けることができる。
【００７８】
３ＧＰＰ  ＮＲ展開シナリオのコンテキストで説明する実施例において、１つのセルは、４〜３２個のビームを有するよう構成されてよい。しかしながら、これは、このセルを有するよう構成されている基地局において使用されるアンテナのタイプに大きく依存する。例えば、中型又は大型のアンテナアレイを使用すると、マルチビーム通信が設計される場合の制限された指向性及びカバレッジを実現できる。
【００７９】
また、移動端末１１０は、ある移動性状態に構成される。この移動性状態は、移動端末が移動しているか、あるいは、固定位置に保たれているか、を規定するものとして理解する必要がある。一例において、この移動性状態は、高移動性状態（例えば、移動端末が移動している場合）と通常移動性状態（例えば、移動端末が固定位置に保たれている場合）とのうちの１つとして定義される。別の一例において、この移動性状態は、高移動性状態と中程度移動性状態と通常移動性状態とのうちの１つとして定義されてもよい。そして、高移動性状態及び中程度移動性状態は、更に、移動の異なる頻度の間で区別され、例えば、移動端末が頻繁に移動しているか、あるいは、その位置を時々変えているかに区別される。
【００８０】
本開示のコンテキストにおいて、移動端末１１０は、自己の移動性状態を検出でき、次に、それに応じて構成され得ると仮定する。移動性状態を検出するために、移動端末１１０の代表的な一実施例は、特定の（予め規定された）期間内における試行された又は遂行されたセル再選択の数を考慮する。期間ごとの試行された又は遂行されたセル再選択の数が多い場合、移動端末１１０は高移動性状態にあり、この数が少ない場合、移動端末１１０は通常移動性状態にある。
【００８１】
３ＧＰＰ  ＮＲ展開シナリオのコンテキストにおいて、移動端末１１０は、セル選択又は再選択を実行する間、ＲＲＣ_ＩＤＬＥ状態又はＲＲＣ_ＩＮＡＣＴＩＶＥ状態のいずれかにあり、ＲＲＣ_ＣＯＮＮＣＥＴＥＤ状態にはないと仮定する。このため、移動端末１１０は、ネットワークからダウンリンク通信を例えばページングの形で受信しており、ネットワークによってアクティブに制御されていない。移動端末１１０は、移動性を有するので、必要なときにセル選択又はセル再選択メカニズムを実行する。
【００８２】
セル選択メカニズム及びセル再選択メカニズムの両方が異なるユースケースを対象としていることは、上述の関連技術の説明から明らかである。例えば、セル選択メカニズムは、最初にオンになった移動端末用であるのに対し、セル再選択メカニズムは、信号品質が悪いセルにキャンプしている移動端末用である。したがって、両メカニズムは、セルが、どのような条件下で、そして、いつ（あるいは、仮にどのような場合に）選択又は再選択されるかを規定する基準についての異なる視野角を有する。しかしながら、これは本開示の焦点ではない。
【００８３】
そうではなく、本開示は、改良型セル品質決定のみに関する。重要な点として、この改良型セル品質決定は、両方のメカニズムに使用され、全ての異なるユースケースについて同じ又は同様の改良をもたらす。したがって、本開示は、セル選択及びセル再選択の両方を同義的に考慮するが、この改良型セル品質決定からもたらされる利点の評価についてのみである。
【００８４】
セル選択及びセル再選択の両方についてセル品質の（改良型）決定が重要な、より具体的には、最も重要な態様であることを容易に理解できるであろう。セル品質を決定しなければ、複数のセルのうちのどのセルがセル選択又はセル再選択が実行されるのに最良のセル候補（最良のセル品質を有するもの）であるかを決定するために、異なるセルを比較することはできない。したがって、セル選択及びセル再選択の両方にとって、セル品質を決定することは同等に必要である。
【００８５】
無線通信システムにおいて、基地局１６０−１及び１６０−２は、セル（例えば、セルＡ及びセルＢ）の各々について、その全てのビームによって信号を（繰り返し）送信する。これらの信号は、移動端末１１０がセル選択又はセル再選択メカニズムを実行するために必要な信号品質測定を可能にする。換言すれば、（参照）信号の送信は、セル選択又はセル再選択を実行するメカニズムにとっての前提条件であり、したがって、そのメカニズムに固有のものである。
【００８６】
３ＧＰＰ  ＮＲ展開シナリオのコンテキストにおいて、セル（例えば、セルＡ及びセルＢ）の各々の全てのビームで送信される信号は、同期信号であり、例えば、基地局１６０−１、１６０−２と移動局１１０との両方に知られている信号である。移動端末は、この同期信号についての測定値に基づいて受信電力を推定できる。
【００８７】
特に、３ＧＰＰ  ＮＲ展開シナリオにおいて、基地局は、異なる目的で使用される複数のタイプの参照信号を送信する。本開示において、複数のビームからの１つのビームの一意な識別を可能にする情報を運ぶ同期信号ブロックについて述べる。この点に関して、移動局は、個別のセルに属しているにもかかわらず、異なるビームから得られる複数の参照信号を区別できる。
【００８８】
図２のステップＳ０１において、移動端末１１０は、少なくとも２つの適切なセルの各適切なセルの複数のビームの信号品質を測定する。これらの測定について、これらの信号は、本質的に最初に受信される必要がある。次に、信号品質の測定を実行することができる。これらの測定は、ビームの信号品質に対応する値をもたらす。
【００８９】
特に、これらの測定された信号品質は、全てのビームの比較又はランク付けを可能にする。換言すれば、移動端末は、この信号品質に基づいて、セルの複数のビームのうちのどれが最良のビーム（又は最良の信号品質を有するビーム）であり、どれが２番目に最良のビーム（又は２番目に最良の信号品質を有するビーム）であるか、などを識別できる。したがって、信号品質は、セルの複数のビーム全ての間の関係を規定する。
【００９０】
３ＧＰＰ  ＮＲ展開シナリオのコンテキストにおいて、移動端末１１０は、全てのビームについて、ビームカバレッジを示す一種の信号強度測定値である参照信号受信電力（ＲＳＲＰ：Reference Signal Receive Power）を測定する。具体的には、ＲＳＲＰは、考慮される測定周波数帯域幅内のそれぞれのビームについての参照信号を運ぶリソースエレメント（ＲＥ）の電力寄与（power contribution）（単位はワット）にわたる線形平均値（linear average）として定義される。
【００９１】
代替的に、３ＧＰＰ  ＮＲ展開シナリオにおいて、移動端末１１０は、全てのビームについて、ＲＳＳＩに対するＲＳＲＰの比として定義される参照信号受信品質（ＲＳＲＱ：Reference Signal Received Quality）を測定する（ここで、ＲＳＳＩは、全てのソースからの干渉を含む総受信電力に対応する）。移動局１１０は、測定されたＲＳＲＰ又はＲＳＲＱのいずれかを用いてセルの全てのビームの信号品質を比較できる。
【００９２】
図２のステップＳ０２において、移動端末１１０は、セル（例えば、セルＡ及びセルＢ）の各々のセル品質を決定する。このセル品質は、セルの各々の測定された信号品質に基づいて決定される。詳細には、セルＡについて、そのセル品質は、セルＡのビームの全ての測定された信号品質に基づいて決定され、セルＢについて、そのセル品質は、セルＢのビームの全ての測定された信号品質に基づいて決定される。
【００９３】
繰り返しになるが、図３及び図４に関連して、セル品質を、（例えば、絶対閾値を超える）全てのビームの測定された信号品質の（算術）平均値として決定することは不利であることは既に述べられている。そうではなく、以下では、セル品質を決定するための２つの異なる実施形態を更に詳細に説明する。
【００９４】
まず、第１の実施形態の特徴を述べる。
【００９５】
第１の実施形態において、移動端末１１０は、セル品質を、２つの値、即ち、第１の値として、最良のビーム（例えば、最良の信号品質を有するビーム）の測定された信号品質と、第２の値として、複数のビームのうちの（例えば、最良のビームを除いた）他のビームについての組み合わせビーム品質値と、の合計値として、決定する。換言すれば、セル品質は、１つの測定値、例えば、最良の信号品質を有するビームの測定された信号品質と、例えば、同じセルの他の全ての（又は一部の）ビームから得られる測定値を組み合わせた組み合わせ値と、に基づいている。
【００９６】
第１の実施形態からのセル品質の決定は、下記の式に要約することができ、ここで、決定されるセル品質はQmeas,cellに対応し、最良ビームの測定された信号品質はQmeas,best_beamに対応し、組み合わせビーム品質はQcomb,other_beamsに対応する。
【数２】
2021510965.tif 000004
【００９７】
この式において、（最良ビームを除く）他のビームについての組み合わせビーム品質値は、スケーリング係数によってスケーリングされ、ここで、そのスケーリング係数は、
【数３】
2021510965.tif 000005
に対応する。重要な点として、このスケーリング係数は、移動端末１１０の移動性状態に応じて変化する。このスケーリング係数は、組み合わせビーム品質値が、高移動性状態においてスケールアップされ、通常移動性状態においてスケールダウンされるように、変化する。これは、
【数４】
2021510965.tif 000006
又は、
【数５】
2021510965.tif 000007
に対応する。
【００９８】
利点として、この変化するスケーリング係数により、組み合わせビーム品質値の影響度が変更される。それによって、これは、組み合わせビーム品質値がセルの全てのビームから得られる測定された信号品質を反映することが有利である一状況（例えば、高移動性状態）に、別の一状況（例えば、通常移動性状態）にも適合する可能性を失うことなく、より良く適合できる。
【００９９】
既に上述しているように、代表的な一実施例において、移動端末は、また、３つの移動性状態のうちの１つ、即ち、通常移動性状態、高移動性状態、又は、（中間）中程度移動性状態の１つに構成され得る。したがって、スケーリング係数は、組み合わせビーム品質値が、高移動性状態において中程度移動性状態と比べてスケールアップされ、通常移動性状態において中程度移動性状態と比べてスケールダウンされるように、変化する。換言すれば、これは、
【数６】
2021510965.tif 000008
又は、
【数７】
2021510965.tif 000009
に対応する。
【０１００】
更なる、より具体的な代表的な一実施例において、通常移動性状態についてのスケーリング係数
【数８】
2021510965.tif 000010
は、ゼロ（０）に対応するように設定され、したがって、組み合わせビーム品質値の影響度もゼロ（０）になる。これは、
【数９】
2021510965.tif 000011
又は、
【数１０】
2021510965.tif 000012
に対応する。
【０１０１】
利点として、この変化するスケーリング係数により、組み合わせビーム品質値の影響度は、それと共に可変であり、したがって、組み合わせビーム品質値がセルの１つ以上の最良品質ビームから得られる測定された信号品質を反映することが有利である一状況（例えば、通常移動性状態）により良く適合できる。
【０１０２】
別の、より具体的な代表的な一実施例において、組み合わせビーム品質値は、高移動性状態において、最良信号品質を有するビームの測定された信号品質と同程度の大きさを有する値を取るように、スケールアップされる。これは、
【数１１】
2021510965.tif 000013
に対応する。
【０１０３】
利点として、これらの値についての同程度の大きさまでのアップスケーリングにより、高移動性状態において、多数のビームを有するセルが、不利にならずに、むしろ（図３及び図４に関連して説明したように）単一ビームのみを有するセルのセル品質よりも高い決定されたセル品質を有することを確実にしうる。
【０１０４】
第１の実施形態の説明に戻ると、移動端末は、ネットワークを介して異なるスケーリング係数を有するよう構成されることを理解できるであろう。例えば、３ＧＰＰ  ＮＲ展開シナリオにおいて、これらの異なるスケーリング係数は、システム情報ブロードキャスト（ＳＩＢ）メッセージを介して、例えば、ＲＲＣ_ＩＤＬＥ状態及びＲＲＣ_ＩＮＡＣＴＩＶＥ状態において読み取られるように規定されているＳＩＢ３メッセージを介して、提供される。
【０１０５】
重要な点として、第１の実施形態において、組み合わせビーム品質値は、最良信号品質を有するビームを除く（例えば、i≠best_beam）、セルの他のビームの測定された信号品質の（算術）合計値（sum）、（算術）平均値（average）、（算術）相加平均値（mean）及び（算術）中央値（median）のうちの１つである。説明の便宜上、セル内において検出された合計０．．．ｋのビームがあり、これらのビームのうちの１つのビームが最良のビームであると仮定すると、このセルの他のビームの（算術）合計値は、
【数１２】
2021510965.tif 000014
に対応する。
【０１０６】
言うまでもなく、組み合わせビーム品質値がどのように（例えば、合計値／平均値／相加平均値／中央値として）定義されるかに応じて、スケーリング係数
【数１３】
2021510965.tif 000015
は、しかるべく、適合される必要がある。さもなければ、組み合わせビーム品質値の変化する影響度からもたらされる利点を実現できない。
【０１０７】
更なる代表的な一実施例において、組み合わせビーム品質値は、更に、セル内で検出された合計０．．．ｋのビームのうちの０．．．Ｎｍのビームのサブセット（部分集合）のみを反映するよう適合されてもよく、ここで、このサブセットは最良ビーム以外のビームに対応し（例えば、i≠best_beam）、このサブセットは、これらの他のビームから、最良信号品質を有するビームを（それでもなお）反映する。換言すれば、この組み合わせビーム品質値は、最良ビームよりも劣る測定された信号品質を有するが、それでもなお、サブセットに反映されていないビームよりも高い信号品質を有するビームを反映する。
【０１０８】
この組み合わせビーム品質値が、このサブセットのビームを（算術）合計値の形で反映すると仮定すると、これは、
【数１４】
2021510965.tif 000016
に対応する。
【０１０９】
同様に、この代表的な一実施例における組み合わせビーム品質値は、（算術）合計値の代わりに、セルの他のビームの測定された信号品質の（算術）平均値、（算術）相加平均値及び（算術）中央値のうちの１つであってもよい。
【０１１０】
好ましくは、この代表的な一実施例において、０．．．Ｎｍのビームのサブセットを形成するビームの数は、移動端末によって移動性状態に応じて決定され、０．．．Ｎhigh_mobiliy_state及び０．．．Ｎnormal_mobiliy_state、又は、更には、０．．．Ｎmedium_mobiliy_stateのビームのサブセットが組み合わせビーム品質値によって反映されることをもたらす。
【０１１１】
より好ましくは、高移動性状態においてサブセットを形成するビームの数（例えば、Ｎhigh_mobiliy_state）は、通常移動性状態においてサブセットを形成するビームの数（例えば、Ｎnormal_mobiliy_state）よりも大きくなるように設定される、又は、更には、高移動性状態においてサブセットを形成するビームの数（例えば、Ｎhigh_mobiliy_state）は、中程度移動性状態においてサブセットを形成するビームの数（例えば、Ｎmedium_mobiliy_state）よりも大きくなるように設定され、中程度移動性状態においてサブセットを形成するビームの数（例えば、Ｎmedium_mobiliy_state）は、通常移動性状態においてサブセットを形成するビームの数（例えば、Ｎnormal_mobiliy_state）よりも大きい。これは、
【数１５】
2021510965.tif 000017
に対応する。
【０１１２】
最後に、更に別の代表的な一実施例において、組み合わせビーム品質値は、セル内で検出された合計０．．．ｋのビームのうち、最良信号品質を有するビームを除いた複数のビームのうちの他のビームの数を示す整数（例えば、ｋ）に対応するように設定される。
【数１６】
2021510965.tif 000018
【０１１３】
次に、第２の実施形態の特徴を述べる。
【０１１４】
第２の実施形態において、移動端末１１０は、セル品質を、複数のビームのうちの最大数の０．．．Ｎｍのビームについての組み合わせビーム品質値として、決定する。この最大数のビームに対応するビームは、最良信号品質を有するビームである。換言すれば、例えば、最大数の０．．．Ｎｍのビームを超えるビームである、複数の０．．．ｋのビームのうちの更なるビーム（例えば、ｋ−Ｎｍ個のビーム）は、結果的に、信号品質が劣るビームである。
【０１１５】
第２の実施形態からのセル品質の決定は、下記の式に要約することができ、ここで、決定されるセル品質はQmeas,cellに対応し、最大数のビームの組み合わせビーム品質値はQcomb,max_beamsに対応する。
【数１７】
2021510965.tif 000019
【０１１６】
説明の便宜上、組み合わせビーム品質値は、最大数のビームの測定された信号品質の（算術）平均値に対応すると仮定する。この場合、組み合わせビーム品質値は、以下のように計算できる。
【数１８】
2021510965.tif 000020
【０１１７】
代替的に、組み合わせビーム品質値は、最大数のビームの測定された信号品質の（算術）相加平均値又は（算術）中央値の１つとして計算されてもよい。
【０１１８】
重要な点として、組み合わせビーム品質値についての最大ビーム数Ｎｍは、最大数Ｎhigh_mobility_stateが高移動性状態においてより大きくなり、最大数Ｎnormal_mobility_stateが通常移動性状態においてより小さくなるように、移動性状態に応じて変化する。これは、
【数１９】
2021510965.tif 000021
に対応する。
【０１１９】
利点として、この変化する最大ビーム数により、組み合わせビーム品質値の影響度が変更される。それによって、これは、組み合わせビーム品質値がセルの全てのビームから得られる測定された信号品質を反映することが有利である一状況（例えば、高移動性状態）に、別の一状況（例えば、通常移動性状態）にも適合する可能性を失うことなく、より良く適合できる。
【０１２０】
既に上述しているように、代表的な一実施例において、移動端末は、また、３つの移動性状態の１つ、即ち、通常移動性状態、高移動性状態、又は、（中間）中程度移動性状態の１つに構成され得る。この場合、組み合わせビーム品質値についての最大ビーム数Ｎｍは、高移動性状態において最大数Ｎhigh_mobility_stateが中程度移動性状態における最大数Ｎmedium_mobility_stateよりも大きくなり、通常移動性状態において最大数Ｎnormal_mobility_stateが中程度移動性状態における最大数Ｎmedium_mobility_stateよりも小さくなるように、移動性状態に応じて変化する。これは、
【数２０】
2021510965.tif 000022
に対応する。
【０１２１】
言うまでもなく、セル内で検出された０．．．ｋのビームの総数が組み合わせビーム品質値についての最大ビーム数Ｎｍよりも小さい場合もある。しかしながら、これは、本開示の範囲の一部分ではない。この場合、組み合わせビーム品質値は、以下のように計算できる。
【数２１】
2021510965.tif 000023
【０１２２】
代表的な一実施例において、組み合わせビーム品質値が決定されるビームの最大数は、通常移動性状態において値１を取る。これは、
【数２２】
2021510965.tif 000024
に対応する。
【０１２３】
別の代表的な一実施例において、組み合わせビーム品質値が決定されるビームの最大数は、高移動性状態において値５を取る。これは、
【数２３】
2021510965.tif 000025
に対応する。
【０１２４】
第２の実施形態の説明に戻ると、移動端末１１０は、ネットワークを介して、考慮されるべき異なるビーム数を有するよう構成されることを理解できるであろう。例えば、３ＧＰＰ  ＮＲ展開シナリオにおいて、これらの異なるビーム数は、システム情報ブロードキャスト（ＳＩＢ）メッセージを介して、例えば、ＲＲＣ_ＩＤＬＥ状態及びＲＲＣ_ＩＮＡＣＴＩＶＥ状態において読み取られるように規定されているＳＩＢ３メッセージを介して、提供される。
【０１２５】
更なる代表的な一実施例において、組み合わせビーム品質値は、複数のビームのうちの少なくとも２つのビームの測定された信号品質の差に応じて変化する重み付け係数（例えば、ｗ）によって、調整されてスケーリングされる。この場合、組み合わせビーム品質値は、以下のように計算できる。
【数２４】
2021510965.tif 000026
【０１２６】
例えば、重み付け係数は、最良のビーム（例えば、最良信号品質を有するビーム）の測定された信号品質と２番目に最良のビームの測定された信号品質との差に反比例するものとして計算できる。これは、以下のように計算される。
【数２５】
2021510965.tif 000027
【０１２７】
Ｃは、任意の定数値である。代替的に、重み付け係数は、最大数のビームの測定された信号品質における標準偏差に反比例するものとして計算されてもよい。これは、以下のように計算される。
【数２６】
2021510965.tif 000028
【０１２８】
利点として、両方の例において、重み付け係数により、信号品質が同様であるビームを有するセルについて、それらのセル品質は、信号品質が多様であるビームを有するセルと比較して、より良好に決定され得ることを確実にしうる。
【０１２９】
次に、再び図２のステップＳ０２の、単に第１の実施形態又は第２の実施形態に関するものではない概括的な開示について述べると、（再び）留意すべき点として、セル品質は、移動端末によって（実際に）検出されたビームについてのみ決定されてよい。本開示のコンテキストにおいて、検出されたビームという用語は、絶対閾値を超える測定された信号品質値を有するビームのみを意味する。
【０１３０】
例えば、３ＧＰＰ  ＮＲ展開シナリオにおいて、この絶対閾値は、特定の（予め規定された）値に設定されてもよいし、あるいは、システム情報ブロードキャスト（ＳＩＢ）メッセージを介して、例えば、ＲＲＣ_ＩＤＬＥ状態及びＲＲＣ_ＩＮＡＣＴＩＶＥ状態において読み取られるように規定されているＳＩＢ３メッセージを介して、構成されてもよい。
【０１３１】
また、３ＧＰＰ  ＮＲ展開シナリオにおいて、セル品質は、少なくとも設定された持続時間（Ｔreselection）の間に測定された複数のビームの各ビームの信号品質に基づいて決定される。
【０１３２】
最後に、図２のステップＳ０３において、移動端末は、決定されたセル品質を用いて、セル選択又は再選択基準に基づいて、少なくとも２つの適切なセルから、キャンプするためのセルを選択又は再選択する。しかしながら、これは、本開示の焦点ではない。例示的に、セル選択又は再選択基準を規定して、セルＡ及びセルＢについての決定されたセル品質からの、最も高いセル品質を有するセルの選択をもたらすことができる。いずれにしても、セル選択又は再選択は、移動端末がセルのうちの１つのセル（図２ではセルＢ）にキャンプすることをもたらす。
【０１３３】
セル選択基準
セル選択基準の定義は本開示の焦点ではないが、以下の開示は、「3GPP TSG RAN TS 36.304 v14.5.0: “User Equipment (UE) procedures in idle mode” Dec. 2017」に現在規定されているセル選択基準の一例を提供する。Ｅ-ＵＴＲＡＮからのこの代表的な一実施例において、移動端末は、同様に、セル選択基準において、決定されたセル品質Qmeas,cellを用いて、あるセルが、移動端末がキャンプできる適切なセルであるか否かを判定する。その基準は、以下のように定義される。
Srxlev＞０且つSqual＞０、ここで
Srxlev = Qrxlevmeas - (Qrxlevmin+ Qrxlevminoffset） - Pcompensation- Qoffsettemp
Squal = Qqualmeas - （Qqualmin + Qqualminoffset） - Qoffsettemp
【０１３４】
Srxlevは、セル選択ＲＸレベル値（ｄＢ）であり、Squalは、セル選択品質値（ｄＢ）であり、Qoffsettempは、セルに一時的に適用されるオフセット（ｄＢ）であり、Qrxlevmeasは、測定されたセルＲＸレベル値（ＲＳＲＰ）であり、Qqualmeasは、測定されたセル品質値（ＲＳＲＱ）であり、Qrxlevminは、セル内における最小必要ＲＸレベル（ｄＢｍ）であり、Qqualminは、セル内における最小必要品質レベル（ｄＢ）であり、Qrxlevminoffsetは、通常ＶＰＬＭＮ内においてキャンプされている間により高い優先順位のＰＬＭＮについての定期的な探索の結果としてSrxlevの評価において考慮されるシグナリング（signalled）Qrxlevminに対するオフセットであり、Qqualminoffsetは、通常ＶＰＬＭＮ内においてキャンプされている間により高い優先順位のＰＬＭＮについての定期的な探索の結果としてSqualの評価において考慮されるシグナリング（signalled）Qqualminに対するオフセットである。
【０１３５】
シグナリング値（signalled values）Qrxlevminoffset及びQqualminoffsetは、セルが、通常ＶＰＬＭＮ内においてキャンプされている間に、セル選択について、より高い優先順位のＰＬＭＮについての定期的な探索の結果として評価されるときにのみ、適用される。ＵＥは、より高い優先順位のＰＬＭＮについてのこの定期的な探索中に、このより高い優先順位のＰＬＭＮの異なるセルから記憶されるパラメータ値を使用して、セルのＳ基準をチェックしてもよい。
【０１３６】
通常カバレッジ（normal coverage）におけるセル選択基準Ｓがあるセルについて満たされていない場合に、拡張カバレッジ（enhanced coverage）についてのセル選択基準Ｓが満たされているならば、ＵＥは、自己が拡張カバレッジ内にあると見なし、ここで、Qrxlevminは、カバレッジ固有値Qrxlevmin_CE（ｄＢｍ）であり、Qqualminは、カバレッジ固有値Qqualmin_CE（ｄＢ）である。
【０１３７】
通常カバレッジにおけるセル選択基準Ｓがあるセルについて満たされておらず、ＵＥがカバレッジ固有値Qrxlevmin_CE及びQqualmin_CEに基づいて自己が拡張カバレッジ内にないと見なしている場合に、ＵＥがＣＥモードＢをサポートしており、拡張カバレッジについてのセル選択基準Ｓが満たされているならば、ＵＥは自己が拡張カバレッジ内にあると見なし、ここで、Qrxlevminは、カバレッジ固有値Qrxlevmin_CE１（ｄＢｍ）であり、Qqualminは、カバレッジ固有値Qqualmin_CE１（ｄＢ）である。
【０１３８】
拡張カバレッジ内におけるＵＥについて、カバレッジ固有値Qrxlevmin_CE及びQqualmin_CE（又はQrxlevmin_CE１及びQqualmin_CE１）は、拡張カバレッジにおいて適切性チェックにのみ適用される（例えば、測定及び再選択の閾値には使用されない）。
【０１３９】
セル再選択基準
セル再選択基準の定義は本発明の焦点ではないが、以下の開示は、「3GPP TSG RAN TS 36.304 v14.5.0: “User Equipment (UE) procedures in idle mode” Dec. 2017」に現在規定されているセル再選択基準の一例を提供する。Ｅ-ＵＴＲＡＮからのこの代表的な一実施例において、（再び）移動端末は、同様に、セル再選択基準において、決定されたセル品質Qmeas,cellを用いて、あるセルが、移動端末がキャンプできる適切なセルであるか否かを判定する。この基準は、以下のように定義される。
RS = Qmeas,s + QHyst - Qoffsettemp
Rn = Qmeas,n + Qoffset - Qoffsettemp
ここで、Qmeas,sは、ＲＳＲＰにおける測定されたサービングセル品質であり、Qmeas,nは、ＲＳＲＰにおける測定された隣接セル品質であり、QHystは、サービングセルに適用されるヒステリシス値であり、Qoffsetは、評価された隣接セルに適用されるオフセット（周波数オフセットとセルオフセットとの合計）であり、Qoffsettempは、そのセルについてＲＲＣ接続確立手順が数回失敗した場合におけるＲ値を下回るオフセット使用スコアである。
【０１４０】
セルは、上述のＲ基準に従って、Qmeas,n及びQmeas,sを導出し、平均化されたＲＳＲＰ結果を用いてＲ値を計算して、ランク付けされる。あるセルが最良セルとしてランク付けされると、ＵＥは、そのセルに対してセル再選択を実行する。全てのケースにおいて、ＵＥは、次の条件が満たされる場合にのみ、即ち、１）新しいセルが期間TreselectionRAT中にサービングセルよりも高くランク付けされ、２）ＵＥが現在のサービングセルにキャンプしてから１秒よりも長い時間が経過した場合にのみ、その新しいセルを再選択する。
【０１４１】
隣接セルがサービングセルよりも高い優先順位を有するケースについては、Qmeas,nが、連続する期間TreselectionRATにわたって閾値ThresRAT,HighPよりも大きい場合に、ＵＥは、その隣接セルを再選択する。サービングセルが隣接セルよりも高い優先順位を有するケースについては、連続する期間TreselectionRATにわたって、Qmeas,sが閾値ThresServing,LowPよりも小さく、且つ、Qmeas,nが別の閾値ThresRAT,LowPよりも大きい場合に、ＵＥは、隣接セルを再選択する。
【０１４２】
移動性状態
代表的な一実施例において、移動端末の移動性状態は、Ｅ-ＵＴＲＡＮにおいて既に確立されている概念を３ＧＰＰ  ＮＲ展開シナリオに簡単に適用して、以下のように特定され得る。一実施形態において、通常移動性状態、高移動性状態及び中程度移動性状態を特定するこの目的のために、パラメータ（ＴＣＲｍａｘ、ＮＣＲ＿Ｈ、ＮＣＲ＿Ｍ及びＴＣＲｍａｘＨｙｓｔ）が、移動端末をサービングするセルのシステム情報ブロードキャスト内で送信される。
【０１４３】
更に、状態検出基準は、以下のように定義される。
【０１４４】
移動端末は、期間ＴＣＲｍａｘ中のセル再選択数がＮＣＲ＿Ｍを超えており且つＮＣＲ＿Ｈを超えていない場合に、中程度移動性状態になるように構成される。同様に、移動端末は、期間ＴＣＲｍａｘ中のセル再選択数がＮＣＲ＿Ｈを超えている場合に、高移動性状態になるように構成される。いずれの場合においても、同じセルが他の１つの再選択の直後に再選択される場合には、移動端末は、同じ２つのセル間での連続する再選択を移動性状態検出基準にカウントしない。中程度移動性状態又は高移動性状態についてのいずれの条件も期間ＴＣＲｍａｘＨｙｓｔ中に満たされない場合、移動端末は通常移動性状態に構成される。
【０１４５】
本開示は、ソフトウェアによって、ハードウェアによって、又はハードウェアと協働するソフトウェアによって、実施することができる。上述した各実施形態の説明において使用される各機能ブロックは、その一部又は全体を、集積回路などのＬＳＩによって実施することができ、各実施形態において説明した各プロセスは、その一部又は全体を、同じＬＳＩ又はＬＳＩの組み合わせによって制御することができる。ＬＳＩは、チップとして個別に形成する、又は、機能ブロックの一部又は全てが含まれるように１個のチップを形成することができる。ＬＳＩは、自身に結合されたデータ入出力部を含むことができる。ＬＳＩは、集積度の違いに応じて、ＩＣ、システムＬＳＩ、スーパーＬＳＩ、又はウルトラＬＳＩとも称される。
【０１４６】
しかしながら、集積回路を実施する技術は、ＬＳＩに限定されず、専用回路、汎用プロセッサ、又は専用プロセッサを使用することによって実施することができる。さらには、ＬＳＩの製造後にプログラムすることのできるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実施することができる。半導体技術又は別の派生技術が進歩する結果として、ＬＳＩが将来の集積回路技術に置き換わる場合、その将来の集積回路技術を使用して機能ブロックを集積化することができる。バイオテクノロジを適用することもできる。
【０１４７】
第１の態様に従えば、無線通信システムにおいてセル（再）選択を実行する移動端末が提案される。このシステムは、移動端末がキャンプするための少なくとも２つの適切なセルを有する。各セルは、複数のビームを有するよう構成されている。更に、移動端末は、少なくとも通常移動性状態又は高移動性状態の１つに構成される。移動端末は、動作中、少なくとも２つの適切なセルの各適切なセルの複数のビームの信号品質を測定し、複数のビームのそれぞれの測定された信号品質に基づいて、少なくとも２つの適切なセルの各適切なセルについてのセル品質を決定し、決定されたセル品質を用いて、セル（再）選択基準に基づいて、少なくとも２つの適切なセルから、キャンプするためのセルを（再）選択する回路を備えている。セル品質は、少なくとも２つの適切なセルの各適切なセルについて、最良信号品質を有するビームの測定された信号品質と、複数のビームのうちの他のビームについての組み合わせビーム品質値と、の合計値として決定され、組み合わせビーム品質値は、組み合わせビーム品質値が、高移動性状態においてスケールアップされ、通常移動性状態においてスケールダウンされるように、移動性状態に応じて変化するスケーリング係数によって、スケーリングされる。
【０１４８】
第１の態様と組み合わせることができる第２の態様に従えば、通常移動性状態において、組み合わせビーム品質値は、ゼロの値を取るようにスケールダウンされる。
【０１４９】
第１又は第２の態様と組み合わせることができる第３の態様に従えば、高移動性状態において、組み合わせビーム品質値は、最良信号品質を有するビームの測定された信号品質と同程度の大きさの値を取るようにスケールアップされる。
【０１５０】
第１から第３の態様と組み合わせることができる第４の態様に従えば、移動端末は、通常移動性状態及び高移動性状態において、それぞれ、組み合わせビーム品質値をスケーリングするために使用される少なくとも２つの異なるスケーリング係数を有するよう構成されている。
【０１５１】
第１から第４の態様と組み合わせることができる第５の態様に従えば、組み合わせビーム品質値は、少なくとも２つの適切なセルの、最良信号品質を有するビームを除いた複数のビームのうちの他のビームの測定された信号品質の合計値／平均値／相加平均値／中央値に対応する。
【０１５２】
第１から第４の態様と組み合わせることができる第６の態様に従えば、組み合わせビーム品質値は、少なくとも２つの適切なセルの、最良信号品質を有するビームを除いた複数のビームのうちの他のビームのサブセットの測定された信号品質の合計値／平均値／相加平均値／中央値に対応し、サブセットを形成するビームの数は、移動性状態に応じて変化し、好ましくは、サブセットを形成するビームの数は、移動端末によって移動性状態に応じて設定され、より好ましくは、高移動性状態においてサブセットを形成するビームの数は、通常移動性状態においてサブセットを形成するビームの数よりも大きくなるように設定される。
【０１５３】
第１から第４の態様と組み合わせることができる第７の態様に従えば、組み合わせビーム品質値は、少なくとも２つの適切なセルの、最良信号品質を有するビームを除いた複数のビームのうちの他のビームの数を示す整数に対応する。
【０１５４】
第８の態様に従えば、無線通信システムにおいてセル（再）選択を実行する別の移動端末が提案される。このシステムは、移動端末がキャンプするための少なくとも２つの適切なセルを有する。これらのセルの各セルは、複数のビームを有するよう構成されている。更に、移動端末は、少なくとも通常移動性状態又は高移動性状態の１つに構成される。移動端末は、動作中、少なくとも２つの適切なセルの各適切なセルの複数のビームの信号品質を測定し、複数のビームのそれぞれの測定された信号品質に基づいて、少なくとも２つの適切なセルの各適切なセルについてのセル品質を決定し、決定されたセル品質を用いて、セル（再）選択基準に基づいて、少なくとも２つの適切なセルから、キャンプするためのセルを（再）選択する回路を備えている。セル品質は、少なくとも２つの適切なセルの各適切なセルについて、複数のビームのうち、最良信号品質を有する最大数のビームについての組み合わせビーム品質値として決定され、組み合わせビーム品質値についてのビームの最大数は、最大数が高移動性状態においてより大きくなり、最大数が通常移動性状態においてより小さくなるように、移動性状態に応じて変化する。
【０１５５】
第８の態様と組み合わせることができる第９の態様に従えば、通常移動性状態において、組み合わせビーム品質値は、ゼロの値を取るようにスケールダウンされる。
【０１５６】
第８又は第９の態様と組み合わせることができる第１０の態様に従えば、高移動性状態において、組み合わせビーム品質値は、最良信号品質を有するビームの測定された信号品質と同程度の大きさの値を取るようにスケールアップされる。
【０１５７】
第８から第１０の態様と組み合わせることができる第１１の態様に従えば、移動端末は、通常移動性状態及び高移動性状態において、それぞれ、組み合わせビーム品質値をスケーリングするために使用される少なくとも２つの異なるスケーリング係数を有するよう構成されている。
【０１５８】
第１から第１１の態様と組み合わせることができる第１２の態様に従えば、組み合わせビーム品質値は、少なくとも２つの適切なセルの最大数のビームの測定された信号品質の平均値／相加平均値／中央値に対応し、好ましくは、組み合わせビーム品質値は、複数のビームのうちの少なくとも２つのビームの測定された信号品質における差に応じて変化する重み付け係数によって、調整される。
【０１５９】
第１から第１２の態様と組み合わせることができる第１３の態様に従えば、少なくとも２つの適切なセルの各適切なセルの複数のビームの全てのビームは、設定された絶対閾値を超える測定された信号品質を有する。
【０１６０】
第１から第１３の態様と組み合わせることができる第１４の態様に従えば、複数のビームの各ビームの信号品質は、参照信号受信電力ＲＳＲＰ又は参照信号受信品質ＲＳＲＱの形で測定される。
【０１６１】
第１から第１４の態様と組み合わせることができる第１５の態様に従えば、セル品質は、少なくとも設定された持続時間（Treselection）にわたって測定された複数のビームの各ビームの信号品質に基づいて決定される。
【０１６２】
第１から第１５の態様と組み合わせることができる第１６の態様に従えば、少なくとも２つの適切なセルの各適切なセルについて、複数のビームは、更に、最良信号品質を有するビームを決定するために、測定された信号品質を用いてランク付けされる。
【０１６３】
第８の態様と組み合わせることができる第１７の態様に従えば、移動端末は、移動端末がＲＲＣ（Radio Resource Control）_ＩＤＬＥ状態又はＲＲＣ_ＩＮＡＣＴＩＶＥ状態に構成されているときに、セル（再）選択を実行するよう構成されている。
【０１６４】
第１８の態様に従えば、移動端末が無線通信システムにおいてセル（再）選択を実行するための方法が提案される。このシステムは、移動端末がキャンプするための少なくとも２つの適切なセルを有する。これらのセルの各セルは、複数のビームを有するよう構成されている。更に、移動端末は、少なくとも通常移動性状態又は高移動性状態の１つに構成される。方法は、移動端末によって実行される次のステップ、即ち、少なくとも２つの適切なセルの各適切なセルの複数のビームの信号品質を測定するステップと、複数のビームのそれぞれの測定された信号品質に基づいて、少なくとも２つの適切なセルの各適切なセルについてのセル品質を決定するステップと、決定されたセル品質を用いて、セル（再）選択基準に基づいて、少なくとも２つの適切なセルから、キャンプするためのセルを（再）選択するステップと、を含む。セル品質は、少なくとも２つの適切なセルの各適切なセルについて、最良信号品質を有するビームの測定された信号品質と、複数のビームのうちの他のビームについての組み合わせビーム品質値と、の合計値として決定され、組み合わせビーム品質値は、組み合わせビーム品質値が、高移動性状態においてスケールアップされ、通常移動性状態においてスケールダウンされるように、移動性状態に応じて変化するスケーリング係数によって、スケーリングされる。
【０１６５】
第１８の態様と組み合わせることができる第１９の態様に従えば、通常移動性状態において、組み合わせビーム品質値は、ゼロの値を取るようにスケールダウンされる。
【０１６６】
第１８又は第１９の態様と組み合わせることができる第２０の態様に従えば、高移動性状態において、組み合わせビーム品質値は、最良信号品質を有するビームの測定された信号品質と同程度の大きさの値を取るようにスケールアップされる。
【０１６７】
第１８から第２０の態様と組み合わせることができる第２１の態様に従えば、移動端末は、通常移動性状態及び高移動性状態において、それぞれ、組み合わせビーム品質値をスケーリングするために使用される少なくとも２つの異なるスケーリング係数を有するよう構成されるステップを更に実行する。
【０１６８】
第１８から第２１の態様と組み合わせることができる第２２の態様に従えば、組み合わせビーム品質値は、少なくとも２つの適切なセルの、最良信号品質を有するビームを除いた複数のビームのうちの他のビームの測定された信号品質の合計値／平均値／相加平均値／中央値に対応する。
【０１６９】
第１８から第２１の態様と組み合わせることができる第２３の態様に従えば、組み合わせビーム品質値は、少なくとも２つの適切なセルの、最良信号品質を有するビームを除いた複数のビームのうちの他のビームのサブセットの測定された信号品質の合計値／平均値／相加平均値／中央値に対応し、サブセットを形成するビームの数は、移動性状態に応じて変化し、好ましくは、サブセットを形成するビームの数は、移動端末によって移動性状態に応じて設定され、より好ましくは、高移動性状態においてサブセットを形成するビームの数は、通常移動性状態においてサブセットを形成するビームの数よりも大きくなるように設定される。
【０１７０】
第１８から第２１の態様と組み合わせることができる第２４の態様に従えば、組み合わせビーム品質値は、少なくとも２つの適切なセルの、最良信号品質を有するビームを除いた複数のビームのうちの他のビームの数を示す整数に対応する。
【０１７１】
第２５の態様に従えば、移動端末が無線通信システムにおいてセル（再）選択を実行するための別の方法が提案される。このシステムは、移動端末がキャンプするための少なくとも２つの適切なセルを有する。各セルは、複数のビームを有するよう構成されている。更に、移動端末は、少なくとも通常移動性状態又は高移動性状態の１つに構成される。方法は、移動端末によって実行される次のステップ、即ち、少なくとも２つの適切なセルの各適切なセルの複数のビームの信号品質を測定するステップと、複数のビームのそれぞれの測定された信号品質に基づいて、少なくとも２つの適切なセルの各適切なセルについてのセル品質を決定するステップと、決定されたセル品質を用いて、セル（再）選択基準に基づいて、少なくとも２つの適切なセルから、キャンプするためのセルを（再）選択するステップと、を含む。セル品質は、少なくとも２つの適切なセルの各適切なセルについて、複数のビームのうち、最良信号品質を有する最大数のビームについての組み合わせビーム品質値として決定され、組み合わせビーム品質値についてのビームの最大数は、最大数が高移動性状態においてより大きくなり、最大数が通常移動性状態においてより小さくなるように、移動性状態に応じて変化する。
【０１７２】
第２５の態様と組み合わせることができる第２６の態様に従えば、通常移動性状態において、組み合わせビーム品質値が決定されるビームの最大数は１の値を取る。
【０１７３】
第２５又は第２６の態様と組み合わせることができる第２７の態様に従えば、高移動性状態において、組み合わせビーム品質値が決定されるビームの最大数は５の値を取る。
【０１７４】
第２５から第２７の態様と組み合わせることができる第２８の態様に従えば、移動端末は、通常移動性状態及び高移動性状態において、それぞれ、最大ビーム数として使用される少なくとも２つの異なる値を有するよう構成されている。
【０１７５】
第２５から第２８の態様と組み合わせることができる第２９の態様に従えば、組み合わせビーム品質値は、少なくとも２つの適切なセルの最大数のビームの測定された信号品質の平均値／相加平均値／中央値に対応し、好ましくは、組み合わせビーム品質値は、複数のビームのうちの少なくとも２つのビームの測定された信号品質における差に応じて変化する重み付け係数によって、調整される。
【０１７６】
第１８から第２９の態様と組み合わせることができる第３０の態様に従えば、少なくとも２つの適切なセルの各適切なセルの複数のビームの全てのビームは、設定された絶対閾値を超える測定された信号品質を有する。
【０１７７】
第１８から第３０の態様と組み合わせることができる第３１の態様に従えば、複数のビームの各ビームの信号品質は、参照信号受信電力ＲＳＲＰ又は参照信号受信品質ＲＳＲＱの形で測定される。
【０１７８】
第１８から第３１の態様と組み合わせることができる第３２の態様に従えば、セル品質は、少なくとも設定された持続時間（Treselection）にわたって測定された複数のビームの各ビームの信号品質に基づいて決定される。
【０１７９】
第１８から第３２の態様と組み合わせることができる第３３の態様に従えば、少なくとも２つの適切なセルの各適切なセルについて、複数のビームは、更に、最良信号品質を有するビームを決定するために、測定された信号品質を用いてランク付けされる。
【０１８０】
第１８から第３３の態様と組み合わせることができる第３４の態様に従えば、移動端末は、移動端末がＲＲＣ（Radio Resource Control）＿ＩＤＬＥ状態又はＲＲＣ_ＩＮＡＣＴＩＶＥ状態に構成されているときに、セル（再）選択を実行する。
【図１】
2021510965.tif 000029
【図２】
2021510965.tif 000030
【図３】
2021510965.tif 000031
【図４】
2021510965.tif 000032
【国際調査報告】
2021510965.tif 000033
2021510965.tif 000034